(57)【要約】【課題】しっかりとハードディスクの位置を固定でき、且つ、優れた保護性を備え、操作が簡便なハードディスク固定フレームの提供。【解決手段】座体、枠体及び複数の弾性スライダを含み、前記座体がコンピュータ本体殼体内部に固定され、前記座体はそ上面に複数の嵌入部材及び弾性部材が設置され、片側に固定板が設けられると共に、前記枠体は底面に前述の嵌入部材に対応する複数の通孔が形成され、その側縁部に相対固定板が設けられ、前記枠体が前述の座体上に組み込まれると共に、前記枠体内に複数の嵌入溝を備えた軌道が設けられ、ハードディスクを収容することができ、さらに複数の前記弾性スライダがハードディスクの２つの相対する側面にそれぞれ設置され、ハードディスクを前述の枠体内の軌道上で滑動可能とした後、ハードディスク上の弾性スライダを前記軌道の二端の前記嵌入溝内に嵌入し、前記ハードディスクの位置を固定する。【選択図】図３
0003125310.tif 000002
【実用新案登録請求の範囲】
【請求項１】
コンピュータ本体に使用する複数のハードディスクを設置かつ固定することができるハードディスク固定フレームであって、座体と、枠体と、複数の弾性スライダを含み、そのうち、前記座体は前記コンピュータ本体殼体内部に固定され、その上面に複数の嵌入部材及び弾性部材が設置され、且つ、片側に固定板が設けられ、前記枠体はその底面に複数の前記嵌入部材に対応する通孔が設けられ、且つ、側縁部に相対固定板が設置され、前記枠体を前記座体上に組みこむことができ、前記枠体内に嵌入溝を備えた複数の軌道が設置され、前記複数のハードディスクを収容することができると共に、前記複数の弾性スライダは前記ハードディスクの相対する２つの側面に設置され、前記ハードディスクを前記軌道上でスライド移動させた後、前記ハードディスクの前記複数の弾性スライダを前記軌道の両端に設けた前記嵌入溝内に嵌置し、前記ハードディスクの位置を固定することを特徴とするハードディスク固定フレーム。
【請求項２】
前記座体上に複数の固定孔がそれぞれ開設され、該固定孔は前記複数の嵌入部材を設置するために用いられる構成とした請求項１に記載のハードディスク固定フレーム。
【請求項３】
前記座体上に複数の嵌設槽がそれぞれ開設され、該嵌設槽は前記複数の弾性部材を設置するために用いられる構成とした請求項１に記載のハードディスク固定フレーム。
【請求項４】
前記嵌入部材が滑動ネジとして構成された請求項１に記載のハードディスク固定フレーム。
【請求項５】
前記滑動ネジの一端が滑動部であり、他端が前記固定孔に対応する螺合部として構成された請求項４に記載のハードディスク固定フレーム。
【請求項６】
前記弾性部材が弾性片として構成された請求項１に記載のハードディスク固定フレーム。
【請求項７】
前記弾性片の両端に前記嵌設槽に対応して嵌置される固定部をそれぞれ形成した構成とした請求項１に記載のハードディスク固定フレーム。
【請求項８】
前記座体が前記コンピュータ本体殼体内部の底面板上に固定される構成とした請求項１に記載のハードディスク固定フレーム。
【請求項９】
前記固定板上に固定ネジ孔を開設した構成とした請求項１に記載のハードディスク固定フレーム。
【請求項１０】
前記軌道が２つの相対するレールから構成され、前記レールが平行な固定片及び滑動片を備え、前記固定片が前記枠体上に固定するために用いられ、前記滑動片の後端部に嵌入溝を形成し、前記嵌入溝から斜め前方に滑動区域を延伸して設け、且つ、前端部に逆さフック状の嵌入溝を形成した構成とした請求項１に記載のハードディスク固定フレーム。
【請求項１１】
前記相対固定板上に親子ネジを設置した構成とした請求項１に記載のハードディスク固定フレーム。
【請求項１２】
前記弾性スライダが振動と衝撃を緩衝できる材料から成る構成とした請求項１に記載のハードディスク固定フレーム。
【請求項１３】
前記弾性スライダがホイール型に成型され、且つ、その側縁部に前記レールの厚さに対応する環状槽を形成し、その中心に貫通孔を開設した構成とした請求項１に記載のハードディスク固定フレーム。
【考案の詳細な説明】
【技術分野】
【０００１】
本考案はハードディスク固定フレームに関し、コンピュータ本体内でハードディスクを設置しその位置を固定するためのハードディスク固定フレームであって、本考案は特にスライド方式でハードディスクを迅速にハードディスク固定フレームに挿入し固定することができ、且つ、優れた耐振効果を備えた、ハードディスク固定フレームに関する。
【背景技術】
【０００２】
コンピュータテクノロジーの発達に伴い、さまざまなマルチメディアファイルも増え続け、例えば一般に音楽再生に用いられるサウンドファイルや、鑑賞及び閲読用のビデオファイル、さらには一般保存用の文字ファイル、或いは画像ソフトウェアを使用して作られた画像ファイルなど、これらデータは使用或いは保存を行うときいずれもハードディスクやフロッピー（登録商標）ディスク、光ディスク（一般的に光ディスクはCD及びDVDに分けられる）等のコンピュータ専用の保存メディアを使用する。しかし、近年来マルチメディアファイル形成のファイルは大きくなっており、保存メディア容量に対するニーズも大きくなり続けている。最も常用され、且つ欠かすことのできない保存メディアがハードディスクであり、その他保存メディアと比較すると、ハードディスクは読み取り速度が速く、保存効果が長く、また単位保存容量のコストが低いことに加え、隨時ファイルの管理（例えば新規作成や削除、移動或いはコピー等）ができる点がより重要である。且つ、近年来ハードディスクの容量は倍増する勢いで増加しているため、多くのDIYを好む使用者にとっては大きな福音となっている。
【０００３】
図１に従来のコンピュータハードディスク固定フレームの構造を示す。この図に示すように、一般的なコンピュータ本体殼体１０内部には少なくとも１つのハードディスク２０を固定するための固定フレーム１０１が設けられ、その内部にはハードディスク２０を収容するための空間が形成され、且つ、固定フレーム１０１の相対する２つの側面上にそれぞれ複数の固定孔１０１１が開設され、少なくとも２つ以上のハードディスク２０を設置ために用いることができるが、一般的な固定フレーム１０１は固定式であり、且つ、固定フレーム１０１の開口部がマザーボードに向いているため、往々にして設置時に不便となる。図２に従来のハードディスク固定フレームの設置時の状態を示す。図に示すように、ハードディスク２０の設置時には、ハードディスク２０を固定フレーム１０１内部の収容空間に挿入した後、ハードディスク２０両側のネジ孔２０１と固定フレーム１０１の固定孔１０１１を相互に合わせ、複数の固定ネジ２０２を用いてハードディスク２０を固定フレーム１０１内に固定し、ハードディスク２０とコンピュータ本体の電源及びマザーボードを電気的に接続するが、操作手順が煩雑であり、使用者のハードディスク設置時に不便であるため、改良が必要である。
【考案の開示】
【考案が解決しようとする課題】
【０００４】
上述の必要性に鑑みて、本考案は考案者がその関連産業における長年の経験に基づき研究を重ね、設計された斬新なハードディスク固定フレームを提供するものである。本考案の主な目的は、しっかりとハードディスクの位置を固定でき、且つ、優れた保護性を備え、操作が簡便なハードディスク固定フレームを提供することにある。
【課題を解決するための手段】
【０００５】
上述の目的を達するため、本考案のハードディスク固定フレームは、コンピュータ本体に使用する複数のハードディスクを設置且つ固定することができ、座体、枠体及び複数の弾性スライダを含み、前記座体がコンピュータ本体殼体内部に固定され、前記座体の上面に複数の嵌入部材及び弾性部材が設置され、且つ、前記座体の片側に固定板が設けられると共に、前記枠体の底面に前述の嵌入部材に対応する複数の通孔が形成され、且つ、その側縁部に相対固定板が設けられ、前記枠体を前述の座体上に組み込むことができ、且つ、前記枠体内に複数の嵌入溝を備えた軌道が設けられ、前述の複数のハードディスクを収容することができ、さらに複数の前記弾性スライダがハードディスクの２つの相対する側面にそれぞれ設置され、ハードディスクを前述の枠体内の軌道上で滑動可能とした後、ハードディスク上の弾性スライダを前記軌道の二端の前記嵌入溝内に嵌入し、前記ハードディスクの位置を固定する。    
【考案を実施するための最良の形態】
【０００６】
以下、本考案の内容についてより理解を促すため、図面に基づき詳細に説明する。
【０００７】
図３に本考案の立体分解図を示す。この図に示すように、コンピュータ本体に使用する複数のハードディスク３０を設置かつ固定することができ、主に、座体４０、枠体５０及び複数の弾性スライダ６０を含み、前記座体４０はコンピュータ本体殼体内部の底面上に固定され、前述の枠体５０を組み込むために用いられる。前記座体４０は上面に複数の固定孔４０１及び嵌設槽４０２が開設され、これら固定孔４０１及び嵌設槽４０２内にそれぞれ対応する複数の嵌入部材４０３及び弾性部材４０４が設置される。前記嵌入部材４０３は滑動ネジであり、この滑動ネジは一端が滑動部４０３１、他端が前記固定孔４０１に対応する螺合部４０３２とし、前記弾性部材４０４は弾性片であり、且つ、両端に前記嵌設槽４０２に対応し嵌入される固定部４０４１がそれぞれ形成される。前記座体４０の片側に固定板４０５が設けられ、且つ、前記固定板４０５上に固定ネジ孔４０５１が開設される。また、前記枠体５０の底面上に前記嵌入部材４０３に対応する複数の通孔５０１が開設され、且つ、側縁部に相対固定板５０２が設けられ、前記相対固定板５０２上に前記固定孔４０５１に対応する親子ネジ５０２１が設置され、前記座体４０上の嵌入部材４０３を枠体５０の通孔５０１内に穿通し、弾性部材４０４により弾性的に枠体５０底面に当接され、且つ、相対的に位置を移動させて、前記座体４０の固定板４０５と枠体５０の相対固定板５０２を合わせ、前記相対固定板５０２の親子ネジ５０２１を前記固定板４０５の固定孔４０５１内に螺合し、前記枠体５０の座体４０への組み付けが完了する。前記枠体５０内には嵌入溝５０３１２１、５０３１２３を備えた複数の軌道５０３が形成され、且つ、これら軌道５０３は階層状を呈し、ハードディスク３０の滑動及び位置固定に用いられる。さらに、複数の前記弾性スライダ６０がハードディスク３０の２つの相対する側面上にそれぞれ設置され、これら弾性スライダ６０は振動と衝撃を緩衝する材料をホイール型に成型して成り、ハードディスク３０がその２つの側面にホイールを備えた形態となり、前記枠体５０内の軌道５０３上でスライド移動させることができるようにする。さらに、弾性スライダ６０の弾性を利用して軌道５０３二端の嵌入溝５０３１２１、５０３１２３内に嵌入させ、ハードディスク３０の位置を固定すると共に、ハードディスク３０に適度の振動または衝撃の緩衝保護性を与えることができる。
【０００８】
図４に本考案の座体と枠体を組み立てた状態の断面図を示す。この図に示すように、座体４０をコンピュータ本体殼体内部の底面板上に固定し、座体４０上面の複数の嵌入部材４０３及び弾性部材４０４、及び座体４０片側の固定板４０５と、枠体５０底面に形成された複数の通孔５０１及びその底面片側の相対固定板５０２を利用して枠体５０と座体４０を相互に組み込むことができる。組み込み時には、座体４０の嵌入部材４０３を枠体５０の通孔５０１に合わせてその中に穿入させ、弾性部材４０４を弾性的に枠体５０底面に当接させ、座体４０の固定板４０５と枠体５０の相対固定板５０２を相互に合わせ、相対固定板５０２の親子ネジ５０２１を固定板４０５の固定孔４０５１内に螺合し、枠体５０を座体４０上に固定するという目的を達することができる。
【０００９】
図５に本考案の軌道の構造を示す。この図に示すように、枠体５０内部に位置する軌道５０３は、２つの相対するレール５０３１から構成され、このレール５０３１は平行な固定片５０３１１及び滑動片５０３１２が設けられ、前記固定片５０３１１は前記枠体５０内面に固定するために用いられ、前記滑動片５０３１２は後端部に嵌入溝５０３１２１が形成され、この後端部の嵌入溝５０３１２１から斜め前方へ滑動区域５０３１２２が延伸されて形成され、且つ、前端部に逆さフック状の嵌入溝５０３１２３が形成される。
【００１０】
図６に本考案の弾性スライダの設置を表す立体図を示す。この図に示すように、本考案で使用する弾性スライダ６０はホイール型に形成され、且つ、弾性スライダ６０の側縁部に前記レール５０３１の厚みに対応した環状槽６０１が設けられ、さらに弾性スライダ６０の中心には貫通孔６０２が開設され、適切なネジで前記弾性スライダ６０をハードディスク３０の２つの相対する側面上にそれぞれ固定する。これによりハードディスク３０はその相対する２側面にホイールを備えた形態となり、前記枠体５０の軌道５０３内でスライドさせることができる。
【００１１】
図７、図８に本考案の使用状態を示す。これらの図に示すように、まず、複数の弾性スライダ６０をハードディスク３０の２つの相対する側面に設置し、ハードディスク３０にホイールを持たせた形態とし、このハードディスク３０をスライド方式で軌道５０３内に挿入する。ハードディスク３０の前端部の弾性スライダ６０を軌道５０３の滑動区域５０３１２２に沿って前方へとスライドさせ、前端部の弾性スライダ６０を軌道５０３前端部の嵌入溝５０３１２３内に嵌置した後、最後にハードディスク３０後端部の弾性スライダ６０を下方向へ押して軌道５０３後端部の嵌入溝５０３１２１内に嵌置し、ハードディスク３０を固定するという目的を達することができる。その操作は非常に簡便であり、且つ、固定後弾性スライダ６０が振動と衝撃を緩衝できる材料で成っているため、常に高速運転下にあるハードディスク３０に優れた保護性を提供することができる。
【００１２】
上述のように、本考案はその実施方法に基づき、枠体と座体を分離した状態でハードディスクの設置操作をするか、或いは枠体と座体を先に組み込んだ後、内部でハードディスクの設置操作をしてもよく、その設置操作が非常に簡便であり、且つ、ハードディスクはホイール状の弾性スライダを介して軌道の嵌入溝内に嵌置され、固定という効果が達せられるため、確実に操作が簡便なハードディスク固定フレームが得られ、しっかりとハードディスクの位置を固定できるだけでなく、優れた保護性も提供することができる。
【００１３】
以上で述べた説明は、本考案の最良の実施例に基づくものであり、本考案の実施の範囲を制限するものではなく、関連技術を熟知した人物による本考案の要旨の範囲を逸脱しないあらゆる変化や修飾は、すべて本考案の特許範囲内に含まれるものとみなす。
【００１４】
上述のように、本考案のハードディスク固定フレームは、操作が簡便でハードディスクの位置をしっかりと固定でき、且つ、優れた保護性を備えており、創作の実用性と進歩性を兼ね備えているため、特許法の規定に基づき、ここに実用新案登録を出願するものである。
【図面の簡単な説明】
【００１５】
【図１】従来のコンピュータのハードディスク固定フレームの構造を示す立体斜視図である。
【図２】従来のハードディスク固定フレームのハードディスクを設置した状態を示す立体斜視図である。
【図３】本考案の立体分解図である。
【図４】本考案の座体と枠体を組み込んだ状態を示す断面図である。
【図５】本考案の軌道の構造を示す立体斜視図である。
【図６】本考案の弾性スライダの設置を示す立体斜視図である。
【図７】本考案のハードディスクの組み込み操作を示す側面図１である。
【図８】本考案のハードディスクの組み込み操作を示す側面図２である。
【符号の説明】
【００１６】
１０                  殼体
１０１                固定フレーム
１０１１             固定孔
２０                  ハードディスク
２０１                ネジ孔
２０２                ネジ
３０                  ハードディスク
４０                  座体
４０１                固定孔
４０２                嵌設槽
４０３                嵌入部材
４０３１             滑動部
４０３２             螺合部
４０４                弾性部材
４０４１             固定部
４０５                固定板
４０５１             固定孔
５０                  枠体
５０１                通孔
５０２                相対固定板
５０２１             親子ネジ
５０３                軌道
５０３１             レール
５０３１１           固定片
５０３１２           滑動片
５０３１２１         嵌入溝
５０３１２２         滑動区域
５０３１２３         嵌入溝
６０                  弾性スライダ
６０１                環状槽
６０２             貫通孔
【図１】
0003125310.tif 000003
【図２】
0003125310.tif 000004
【図３】
0003125310.tif 000005
【図４】
0003125310.tif 000006
【図５】
0003125310.tif 000007
【図６】
0003125310.tif 000008
【図７】
0003125310.tif 000009
【図８】
0003125310.tif 000010